(57)【要約】【課題】果実を損傷させることなく、簡易な機構で果実を収穫できる果実収穫具を提供すること。【解決手段】本発明に係る果実収穫具（１）は、指を挿入するリング部（２）と、リング部上面に形成された平面部（５）と、一端が平面部に連結された連結部（３）と、連結部の他端に連結され、平面部と対向する位置に配置されたカット部（４）と、を備え、カット部には、平面部と対向する面に連結部からカット部へ向かう方向に延在した刃（１２）が形成されている。【選択図】図１
2018138015.tif 000002
【特許請求の範囲】
【請求項１】
指を挿入するリング部と、
該リング部上面に形成された平面部と、
一端が該平面部に連結された連結部と、
該連結部の他端に連結され、前記平面部と対向する位置に配置されたカット部と、を備え、
該カット部には、前記平面部と対向する面に刃が形成された、果実収穫具。
【請求項２】
前記刃は、前記連結部から前記カット部へ向かう方向に延在している、請求項１に記載の果実収穫具。
【請求項３】
前記カット部は、前記刃が形成された刃形成部と、前記連結部から前記カット部へ向かう方向に延在した離間溝を介して離間した位置に配置され、前記刃で切断された果柄を保持する保持部と、で形成された、請求項１または２に記載の果実収穫具。
【請求項４】
前記刃は、前記連結部から前記カット部へ向かう方向に対して交差する方向に延在している、請求項１に記載の果実収穫具。
【請求項５】
前記連結部は、前記カット部と前記平面部との間に差し込まれた果柄が当接する位置の幅が、前記刃が形成された位置の前記カット部の長さよりも短い、請求項１または４に記載の果実収穫具。
【請求項６】
前記平面部には、前記刃の延在方向に対して交差する方向に延在した第１凹部が形成された、請求項２または４に記載の果実収穫具。
【請求項７】
前記カット部には、前記第１凹部と対向する位置に延在した第２凹部が形成された、請求項６に記載の果実収穫具。
【請求項８】
前記平面部には、前記刃と対向する位置に延在した刃挿入溝が形成された、請求項１から７のいずれか一項に記載の果実収穫具。
【請求項９】
前記カット部の上面には、すべり止め機構が形成された、請求項１から８のいずれか一項に記載の果実収穫具。
【請求項１０】
前記保持部の先端は、弧状に形成されている、請求項３に記載の果実収穫具。
【請求項１１】
前記連結部は、前記リング部の周方向と同方向にアーチ形状が形成されている、請求項１から１０のいずれか一項に記載の果実収穫具。
【請求項１２】
前記連結部は、前記リング部の幅方向中央に配置されている、請求項１１に記載の果実収穫具。
【請求項１３】
前記連結部は、前記平面部の下方に位置する前記リング部に連結されている、請求項１１または１２に記載の果実収穫具。
【発明の詳細な説明】
【技術分野】
【０００１】
本発明は、果実収穫具に関し、より詳しくは、果柄を切断する機構を備えた果実収穫具に関する。
【背景技術】
【０００２】
近年、イチゴやさくらんぼ等の果実の収穫は、人の手で直接果実に触れることにより果実が傷むのを回避することや、作業効率の向上および労働者の負担軽減等を目的として収穫作業を行う装置等の機器を使用することが提案されている。
【０００３】
例えば、特許文献１では、収穫対象果実の果柄を切断する果柄切断機構であって、第１方向に延び、前記第１方向に直交する第２方向に移動可能な第１フィンガと、前記第１フィンガの前記第２方向近傍に配置され、前記第１方向に延び、前記第２方向に移動可能な第２フィンガと、前記第１、第２方向を含む面を有するプレート形状で、前記第１方向に延びる刃先を有し、前記第１フィンガに設けられた切断刃と、を備え、前記第１フィンガの前記第２フィンガと対向する一部には、前記第１、第２方向に直交する第３方向から見て前記第２方向に凹んだ凹部が形成され、前記切断刃は、前記凹部を前記第３方向から覆うように前記第１フィンガに設けられるとともに、前記刃先が、前記第１フィンガの前記第２フィンガに対向する面のうち前記凹部以外の部分と面一又は当該部分よりも前記第２フィンガから離れた位置に設定されており、前記第２フィンガの前記凹部と対向する部分には、前記第１、第２フィンガが前記第２方向に関して接近したときに前記凹部内に侵入可能な凸部が設けられ、前記第１、第２フィンガが前記第２方向に関して接近したときに、前記凸部と前記切断刃との間の、せん断力により、前記第１、第２フィンガの間に位置する前記収穫対象果実の果柄が切断される、果柄切断機構が提案されている。
【０００４】
特許文献１の果柄切断機構は、上記構成を備えることにより、果柄の切断位置に果柄をスムーズに位置決めし、果柄の損傷を抑制することができるとされている。
【先行技術文献】
【特許文献】
【０００５】
【特許文献１】特開２０１２−１１０２５７号公報
【発明の概要】
【発明が解決しようとする課題】
【０００６】
しかしながら、特許文献１で提案された果柄切断機構を設けた装置では、操作者の習熟度等によって、果実の収穫作業時に装置の先端部等を果実に接触させてしまい、果実を損傷させるおそれがある。
【０００７】
本発明は、このような状況に鑑みてなされたものであり、果実を損傷させることなく、簡易な機構で果実を収穫できる果実収穫具を提供することを目的とする。
【課題を解決するための手段】
【０００８】
上記課題を解決するため、本発明は、一例として、指を挿入するリング部と、リング部上面に形成された平面部と、一端が平面部に連結された連結部と、連結部の他端に連結され、平面部と対向する位置に配置されたカット部と、を備え、カット部には、平面部と対向する面に刃が形成された、果実収穫具を提供する。
【発明の効果】
【０００９】
本発明によれば、果実を損傷させることなく、簡易な機構で果実を収穫できる果実収穫具を提供することができる。なお、本発明の効果は、必ずしも上記の効果に限定されるものではなく、本開示中に記載されたいずれかの効果であってもよい。
【図面の簡単な説明】
【００１０】
【図１】第１実施形態の果実収穫具の全体像を示す斜視図である。
【図２】第１実施形態の果実収穫具を示す正面図である。
【図３】第１実施形態の果実収穫具を示す背面図である。
【図４】第１実施形態の果実収穫具を示す平面図である。
【図５】第１実施形態の果実収穫具を示す右側面図である。
【図６】図２の線分Ａ−Ａ線における断面図である。
【図７】第１実施形態の果実収穫具の使用例を示す模式図である。
【図８】第２実施形態の果実収穫具を示す正面図である。
【図９】第２実施形態の果実収穫具を示す平面図である。
【図１０】第２実施形態の果実収穫具を示す右側面図である。
【図１１】第３実施形態の果実収穫具の全体像を示す正面側の斜視図である。
【図１２】第３実施形態の果実収穫具の全体像を示す背面側の斜視図である。
【図１３】第３実施形態の果実収穫具を示す正面図である。
【図１４】第３実施形態の果実収穫具を示す背面図である。
【図１５】第３実施形態の果実収穫具を示す平面図である。
【図１６】第３実施形態の果実収穫具を示す右側面図である。
【発明を実施するための形態】
【００１１】
以下、本発明を実施するための好適な形態について図面を参照しながら説明する。なお、以下に説明する実施形態は、本発明の代表的な実施形態の一例を示したものであり、これにより本発明の範囲が狭く解釈されることはない。また、本発明は、下記の各実施形態の全てまたは一部を互いに組み合わせることもできる。
【００１２】
＜１．第１実施形態＞
図１は、第１実施形態の果実収穫具の全体像を示す斜視図である。図１を用いて、本実施形態の果実収穫具１の概要について説明する。
【００１３】
本実施形態の果実収穫具１は、人の指を挿入するリング部２と、リング部２上面に形成された平面部５と、一端が平面部５に連結されたアーチ形状の連結部３と、連結部３の他端に連結され、平面部５と対向する位置に配置されたカット部４と、を備えている。
【００１４】
カット部４は、果実の果柄を切断する刃１２が形成された刃形成部６と、連結部３からカット部４へ向かう方向に延在した離間溝１１を介して離間した位置に配置され、刃１２で切断された果柄を保持する保持部７と、で形成されている。刃１２は、刃形成部６の平面部５と対向する面において、連結部３からカット部４へ向かう方向に延在して形成されている。なお、果実収穫具１は、離間溝１１が形成されていることにより、カット部４の材料を減らして剛性を低くし、カット部４が指で押しつけやすい柔らかさになっている。
【００１５】
果実収穫具１は、例えば、イチゴ等の果実の果柄を平面部５とカット部４とで挟み、挟んだ果柄を刃形成部６の刃１２で切断し、切断した後の果実等に人が直接触れずに収穫するために使用されるものである。これにより、人が触れることによって傷みやすい果実等を傷めずに鮮度を保ったまま収穫することができる。
【００１６】
図２は、本実施形態の果実収穫具１を示す正面図である。図３は、本実施形態の果実収穫具１を示す背面図である。図４は、本実施形態の果実収穫具１を示す平面図である。図５は、本実施形態の果実収穫具１を示す右側面図である。図６は、本実施形態の果実収穫具１の図２の線分Ａ−Ａ線における断面図である。図２から図６を用いて、本実施形態の果実収穫具１の詳細な構成について説明する。
【００１７】
図２から図４等に示すように、平面部５には、刃１２の延在方向に対して交差する方向に延在した第１凹部１３が形成されている。本実施形態における第１凹部１３は、一例として、刃１２の延在方向に対して直交した方向に延在している。さらに、平面部５には、第１凹部１３の連結部３側に、第１凹部１３と隣接して延在した山型の第１凸部２３が形成されている。
【００１８】
図３等に示すように、保持部７は、連結部３と連結され、連結部３のアーチ形状と対向する位置にアーチ形状を形成している。保持部７は、そのアーチ形状の下端から連結部３の方向に向かってさらに延在している。保持部７が連結部３の方向に向かって延在したその先端部には、第１凹部１３と対向する位置に延在した第２凹部２１が形成されている。第２凹部２１の連結部３側には、第２凹部２１と隣接して延在した山型の第２凸部２２が形成されている。
【００１９】
果実収穫具１は、使用時に、第１凹部１３と第２凹部２１とで、それらの間に入り込ませた果実の果柄２０を挟み込むことができるように形成されている。果柄２０を挟み込むときには、まず第２凸部２２の先端が、第１凸部２３の先端に当接し、さらに第１凸部２３の先端から連結部３の方向に滑り込んでから、第１凹部１３と第２凹部２１とで果柄２０を挟み込むことができるようになっている。
【００２０】
図５および図６等に示すように、平面部５には、刃１２と対向する位置に延在した刃挿入溝１４が形成されている。果実収穫具１は、刃挿入溝１４が形成されていることにより、刃１２を果柄２０に深く差し込んで切断することができるとともに、切断後に第１凹部１３と第２凹部２１とで果柄２０を挟み込んで把持することができる。
【００２１】
カット部４の上面には、すべり止め機構が形成されていてもよい。このすべり止め機構が形成されている場合には、カット部４の上面を人の指で押さえるときに、指が滑り落ちるのを防止し、より確実にカット部４を押し込むことができる。
【００２２】
果実収穫具１の材料は、例えば、ポリプロピレン（ＰＰ）やポリアセチレンなどの熱可塑性の合成樹脂や、弾性材料などが用いられている。
【００２３】
図２の正面図において、果実収穫具１の寸法は、連結部３とカット部４とが連結された位置の上端からリング部２の下端までの高さが４１ｍｍであり、連結部３のアーチ形状の中央部からカット部４までの幅が２９ｍｍである。また、リング部２の幅は、１５ｍｍである。また、連結部３のアーチ形状の中央部からリング部２の連結部３側の一端までの幅は、１１．５ｍｍである。さらに、図５の右側面図において、連結部３の幅が１５ｍｍであり、刃形成部６の幅が８ｍｍであり、保持部７の幅が５ｍｍである。ただし、本発明に係る果実収穫具の寸法はこれらに限らない。
【００２４】
＜２．果実収穫具の使用例＞
図７は、第１実施形態の果実収穫具１の使用例を示す模式図である。図７を用いて、果実収穫具１を使用して果実の果柄２０を切断し、果実を収穫する方法について説明する。本実施形態では、一例として、右利きの人が右手で果実収穫具１を使用する例について説明する。
【００２５】
図７に示すように、第１に、果実収穫具１を使用する人の右手７０の人差し指７１をリング部２に差し込む。
【００２６】
第２に、右手７０の小指の下方に果実を配置させ、その果実に連なった果柄２０を平面部５の第１凹部１３に差し込む。なお、果柄２０を平面部５の第１凹部１３に差し込む際に、右手７０の手のひら付近を通過させて果柄２０を差し込むと、果実を収穫するときに、果実収穫具１で果柄２０を把持するとともに、指または手のひらでも果柄２０を握って押さえることができるので、より確実に果実を地面に落とさずに収穫することができる。
【００２７】
第３に、親指７２でカット部４の上面を下方に押し込み、親指７２の先端方向の刃形成部６上面に重点的に力を入れて、刃形成部６の刃１２を果柄２０に押し込むことにより、果柄２０を切断する。
【００２８】
第４に、果柄２０切断後、親指７２でカット部４の上面を下方に押し込んだ状態で、親指７２の付け根方向の保持部７上面に重点的に力を入れて、平面部５の第１凹部１３と保持部７の第２凹部２１とで、果実に連なっている果柄２０を把持する。
【００２９】
第５に、果実収穫具１で果柄２０を把持した状態のまま、果柄２０に連なっている果実を収穫用のトレー等の容器に入れてから、把持した果柄２０を果実収穫具１から離して果実を収穫する。
【００３０】
以上のように、本実施形態の果実収穫具１は、刃形成部６と保持部７とが離間溝１１で離間して形成されていることにより、果柄２０を切断した後に、保持部７と平面部５とで確実に果柄２０を挟み込むことができるので、果柄２０および果実を直接持つことなく、果柄２０を保持部７で把持して果実を収穫することができる。また、果実収穫具１は、第１凹部１３と第２凹部２１とが形成されていることにより、果柄２０を確実に把持することができる。また、果実収穫具１は、第１凸部２３と第２凸部２２とが形成されていることにより、円滑に果柄２０を把持することができる。さらに、第１凸部２３または第２凸部２２を果柄２０の直径よりも高く形成することにより、果柄２０を刃形成部６の下部に位置する第１凹部１３よりも連結部３の方向に差し込み過ぎて、刃１２で果柄２０を切断できなくなることを防止することもできる。
【００３１】
したがって、本実施形態の果実収穫具１を使用することにより、果実を損傷させることなく、簡易な機構で果実を収穫することができる。さらに、片方の手のみで果実を収穫することが可能となるため、本実施形態の果実収穫具１を使用した収穫作業と同時にもう一方の手で他の作業を行うことができる。
【００３２】
＜３．第２実施形態＞
まず、図８から図１０を用いて、第２実施形態の果実収穫具８１の概要について説明する。図８は、本実施形態の果実収穫具８１を示す正面図である。図９は、本実施形態の果実収穫具８１を示す平面図である。図１０は、本実施形態の果実収穫具８１を示す右側面図である。本実施形態の果実収穫具８１が、第１実施形態の果実収穫具１と相違する点は、リング部上面に形成された平面部に対する連結部の形成された位置が異なる点である。
【００３３】
本実施形態の果実収穫具８１は、人の指を挿入するリング部８２と、リング部８２上面に形成された平面部８５と、一端が平面部８５に連結されたアーチ形状の連結部８３と、連結部８３の他端に連結され、平面部８５と対向する位置に配置されたカット部８４と、を備えている。
【００３４】
カット部８４には、平面部５と対向する面に、果実の果柄２０を切断する刃８６が形成されている。刃８６は、一例として、連結部８３からカット部８４へ向かう方向に対して直交する方向に延在して形成されている。ただし、本発明の果実収穫具に形成される刃の延在方向は、上記直交する方向に限らず、連結部８３からカット部８４へ向かう方向に対して交差する方向であればよい。
【００３５】
果実収穫具８１は、第１実施形態の果実収穫具１と同様に、例えば、イチゴ等の果実の果柄を平面部８５とカット部８４とで挟み、挟んだ果柄をカット部８４の刃８６で切断し、切断した後の果実等に人が直接触れずに収穫するために使用されるものである。これにより、人が触れることによって傷みやすい果実等を傷めずに鮮度を保ったまま収穫することができる。
【００３６】
次に、図８から図１０を用いて、本実施形態の果実収穫具８１の詳細な構成について説明する。
【００３７】
図１０に示すように、連結部８３は、リング部８２に形成された人の指を差し込むリング形状の周方向と同方向にアーチ形状が形成され、カット部８４および平面部８５に連結されている。本実施形態の連結部８３は、一例として、図８に示す果実収穫具８１の正面から見て平面部８５の背面左側の一部と連結されている。なお、連結部８３の連結位置は、これに限らず、平面部８５の一部と連結されていればよい。
【００３８】
また、図８等に示すように、連結部８３は、カット部８４および平面部８５の間に差し込まれた果柄２０の側部と当接させる当接面８７を有している。また、連結部８３は、当接面８７に当接した果柄２０を刃８６の下部に配置させるために、カット部８４と平面部８５との間に差し込まれた果柄２０が当接する位置の左右方向の幅が、刃８６が形成された位置のカット部８４の左右方向の長さよりも短く形成されている。そして、当接面８７には、果柄２０の側部と当接しやすいように、果柄２０が差し込まれる方向に曲面上に傾斜面が形成されている。
【００３９】
図８および図１０に示すように、平面部８５には、刃８６と対向する位置に延在した刃挿入溝８８が形成されている。果実収穫具８１は、刃挿入溝８８が形成されていることにより、刃８６を果柄２０に深く差し込んで切断することができるとともに、切断後にカット部８４と第３凸部８９とで果柄２０を挟み込んで把持することができる。さらに、平面部８５には、刃挿入溝８８付近において、刃挿入溝８８よりも連結部８３側に、刃挿入溝８８と並行して延在した第３凸部８９が形成されている。果実収穫具８１は、第３凸部８９が形成されていることにより、第３凸部８９と当接面８７とで、カット部８４および平面部８５の間に差し込まれた果柄２０を固定することができる。
【００４０】
本実施形態の果実収穫具８１は、上記構成により、第１実施形態の果実収穫具１と同様の効果を有することができる。また、果実収穫具８１は、例えば、果柄２０の延在方向を刃８６に直交する方向に向けた状態で、図８に示す果実収穫具８１の正面から見て右方向から果柄２０をカット部８４および平面部８５の間に差し込むことができる。果柄２０は、その側部が連結部８３の当接面８７に当接するまで差し込まれると、当接面８７および第３凸部８９で固定される。これにより、果実収穫具８１は、例えば、図８の右方向から左方向へ果柄２０を差し込み過ぎることなく、果柄２０を刃８６の下方に配置させることができるため、確実に果柄２０を切断することができる。
【００４１】
なお、カット部８４の上面には、すべり止め機構が形成されていてもよい。このすべり止め機構が形成されている場合には、カット部８４の上面を人の指で押さえるときに、指が滑り落ちるのを防止し、より確実にカット部８４を押し込むことができる。
【００４２】
＜４．第３実施形態＞
図１１は、第３実施形態の果実収穫具の全体像を示す正面側の斜視図である。図１２は、第３実施形態の果実収穫具の全体像を示す背面側の斜視図である。図１１および図１２を用いて、本実施形態の果実収穫具１０１の概要について説明する。
【００４３】
本実施形態の果実収穫具１０１は、人の指を挿入するリング部１０２と、リング部１０２上面に形成された上面部１０５と、一端が上面部１０５の下方またはリング部１０２の付近に連結されたアーチ形状の連結部１０３と、連結部１０３の他端に連結され、上面部１０５と対向する位置に配置されたカット部１０４と、を備えている。本実施形態の果実収穫具１０１が、第１実施形態の果実収穫具１と相違する主な点は、連結部が、リング部の幅方向中央に配置され、リング部の下方部と連結されている点である。
【００４４】
カット部１０４には、一例として、果実収穫具１０１の正面側の位置に配置され、果実の果柄を切断する刃１１２が形成された刃形成部１０６と、果実収穫具１０１の連結部１０３が形成された背面側の位置に配置され、刃１１２で切断された果柄を保持する保持部１０７と、が形成されている。保持部１０７の果柄と接触する先端には、上面部１０５に向かって突出した第４凸部１０８が形成されている。
【００４５】
刃１１２は、一例として、刃形成部１０６の上面部１０５と対向する面において、連結部１０３からカット部１０４へ向かう方向に対して直交する方向に延在して形成されている。ただし、本発明の果実収穫具に形成される刃の延在方向は、上記直交する方向に限らず、連結部１０３からカット部１０４へ向かう方向に対して交差する方向であればよい。
【００４６】
果実収穫具１０１は、第１および第２実施形態の果実収穫具と同様に、例えば、イチゴ等の果実の果柄を上面部１０５とカット部１０４の保持部１０７とで挟み、挟んだ果柄を刃形成部１０６の刃１１２で切断し、切断した後の果実等に人が直接触れずに収穫するために使用されるものである。これにより、人が触れることによって傷みやすい果実等を傷めずに鮮度を保ったまま収穫することができる。
【００４７】
図１３は、本実施形態の果実収穫具１０１を示す正面図である。図１４は、本実施形態の果実収穫具１０１を示す背面図である。図１５は、本実施形態の果実収穫具１０１を示す平面図である。図１６は、本実施形態の果実収穫具１０１を示す右側面図である。図１１から図１６を用いて、本実施形態の果実収穫具１０１の詳細な構成について説明する。
【００４８】
図１４から図１６等に示すように、連結部１０３は、リング部１０２に形成された人の指を差し込むリング形状の周方向と同方向にアーチ形状が形成され、一例として、カット部１０４およびリング部１０２に連結されている。本実施形態の連結部１０３は、図１３から図１５等に示すように、果実収穫具１０１のリング部１０２の幅方向中央の下方部に連結されている。また、連結部１０３のカット部１０４およびリング部１０２との連結部分の幅は、カット部１０４およびリング部１０２と同等であるが、連結部１０３の上下方向中央付近の幅は、上記連結部分の幅に対して、左右方向から曲線状に狭まって細く形成されている。
【００４９】
図１１および図１２等に示すように、上面部１０５の背面側には、保持部１０７の第４凸部１０８と対向する位置に配置され、刃１１２の延在方向と同方向に延在した第３凹部１１３が形成されている。第４凸部１０８および第３凹部１１３は、表面が弧状に形成されている。また、上面部１０５には、刃１１２と対向する位置に延在した刃挿入溝１１４が形成されている。さらに、上面部１０５には、刃挿入溝１１４と第３凹部１１３との間に、第３凹部１１３と隣接して延在した山型の第５凸部１０９が形成されている。果実収穫具１０１は、第５凸部１０９が形成されていることにより、第５凸部１０９と連結部１０３の側面部とで、カット部１０４および上面部１０５の間に差し込まれた果柄２０を固定することができる。
【００５０】
図１３から図１６に示すように、果実収穫具１０１は、一例として、果柄２０の延在方向を刃１１２に直交する方向に向けた状態で、図１３に示す果実収穫具１０１の正面から見て右方向から果柄２０をカット部１０４および上面部１０５の間に差し込むことができる。果柄２０は、底部が第５凸部１０９の先端に当接し、側部が連結部１０３の側面部に当接するまで差し込まれると、第５凸部１０９および連結部１０３の側面部で固定される。なお、果実収穫具１０１は、果柄２０の延在方向を刃１１２に直交する方向に向けた状態で、図１３に示す果実収穫具１０１の正面から見て左方向から果柄２０をカット部１０４および上面部１０５の間に差し込むこともできる。
【００５１】
さらに、果実収穫具１０１は、刃挿入溝１１４が形成されていることにより、刃１１２を果柄２０に深く差し込んで切断することができるとともに、切断時および切断後に第４凸部１０８と第３凹部１１３とで果柄２０を挟み込んで把持することができる。
【００５２】
本実施形態の果実収穫具１０１は、上記構成により、第１および第２実施形態の果実収穫具と同様の効果を有することができる。また、果実収穫具１０１は、上記構成の連結部１０３を備えることにより、人の指の動作と同じ向きにカット部１０４が連動するため、第１実施形態の果実収穫具１よりも自然な操作が可能となり、作業性および果柄２０の切断性を向上させることができる。さらに、果実収穫具１０１は、連結部１０３をリング部１０２の幅方向中央に配置することで、左右どちらの手でも容易に使用可能となり、使用者の利き手に制限されない操作性を実現することができる。
【００５３】
また、果実収穫具１０１は、連結部１０３とリング部１０２とがリング部１０２の下方部で連結していることにより、第１および第２実施形態の果実収穫具よりもコンパクトであり、かつ、人の指でカット部１０４を押しつける際に必要な力の低減と強度の維持を実現することができる。
【００５４】
また、果実収穫具１０１は、上記構成により、カット部１０４の動きが連結部１０３とリング部１０２との連結部分付近を軸とした回転運動となり、カット部１０４より保持部１０７に大きな力が加わりやすくなることから、刃形成部１０６と保持部１０７とが分離していなくてもカット後の果柄２０の保持を可能とすることができる。
【００５５】
また、果実収穫具１０１は、第４凸部１０８および第３凹部１１３の表面が弧状に形成されていることにより、果柄を挟み込んだ際に果柄２０を弧状に変形させることで保持力を向上させることができる。また、果実収穫具１０１は、上記弧状が形成されていることにより、果柄２０と接触する面積が大きくなるので、果柄２０の保持力を強化することができる。
【００５６】
本発明の実施形態は、上述した実施形態に限定されるものではなく、本発明の要旨を逸脱しない範囲において種々の変更が可能である。
【符号の説明】
【００５７】
１、８１、１０１  果実収穫具
２、８２、１０２  リング部
３、８３、１０３  連結部
４、８４１０４  カット部
５、８５  平面部
６、１０６  刃形成部
７、１０７  保持部
１１  離間溝
１２、８６、１１２  刃
１３  第１凹部
１４、８８、１１４  刃挿入溝
２０  果柄
２１  第２凹部
２２  第２凸部
２３  第１凸部
７０  右手
７１  人差し指
７２  親指
８７  当接面
８９  第３凸部
１０５  上面部
１０８  第４凸部
１０９  第５凸部
１１３  第３凹部
【図１】
2018138015.tif 000003
【図２】
2018138015.tif 000004
【図３】
2018138015.tif 000005
【図４】
2018138015.tif 000006
【図５】
2018138015.tif 000007
【図６】
2018138015.tif 000008
【図７】
2018138015.tif 000009
【図８】
2018138015.tif 000010
【図９】
2018138015.tif 000011
【図１０】
2018138015.tif 000012
【図１１】
2018138015.tif 000013
【図１２】
2018138015.tif 000014
【図１３】
2018138015.tif 000015
【図１４】
2018138015.tif 000016
【図１５】
2018138015.tif 000017
【図１６】
2018138015.tif 000018